(57)【要約】【課題】ユーザーに焼き付きの領域を焼き付き前に事前に表示させることによって焼き付きを低減することが可能な映像表示装置及び映像表示方法を提供する。【解決手段】本発明の映像表示装置は、ディスプレイに表示された映像を構成する画素の輝度レベルを検出し、所定の輝度レベル以上の画素を特定する映像輝度検出部と、所定の輝度レベル以上の画素を特定パターンに置き換えてディスプレイに表示させる映像合成部と、規定時間毎にディスプレイの映像の表示状態を取得し、表示状態が静止画像表示状態であると判断した場合に、映像輝度検出部に所定の輝度レベル以上の画素を特定させ、映像合成部に所定の輝度レベル以上の画素を特定パターンに置き換えさせる制御部、とを具備することを特徴とする。【選択図】図１
2011257469.tif 000002
【特許請求の範囲】
【請求項１】
ディスプレイに表示された映像を構成する画素の輝度レベルを検出し、所定の輝度レベル以上の画素を特定する映像輝度検出部と、
前記所定の輝度レベル以上の画素を特定パターンに置き換えて前記ディスプレイに表示させる映像合成部と、
規定時間毎に前記ディスプレイの前記映像の表示状態を取得し、前記表示状態が静止画像表示状態であると判断した場合に、前記映像輝度検出部に前記所定の輝度レベル以上の画素を特定させ、前記映像合成部に前記所定の輝度レベル以上の画素を特定パターンに置き換えさせる制御部、とを具備することを特徴とする映像表示装置。
【請求項２】
前記画素の表示位置を調整する映像位置調整部と、を更に備え、
前記制御部は、前記表示状態が静止画像表示状態であると判断した場合に、前記映像位置調整部に前記映像に含まれる画素を所定領域に移動させ、移動させた結果を前記映像輝度検出部に出力し、
前記映像輝度検出部は、前記移動させた結果及び前記画素の輝度レベルに応じて、前記所定の輝度レベル以上の画素を特定する、ことを特徴とする請求項１に記載の映像表示装置。
【請求項３】
規定時間毎にディスプレイの映像の表示状態を取得する取得ステップと、
前記表示状態が静止画像表示状態であると判断する判断ステップと、
前記映像を構成する画素の輝度レベルを検出する検出ステップと、
所定の輝度レベル以上の画素を特定する特定ステップと、
前記所定の輝度レベル以上の画素を特定パターンに置き換えて前記ディスプレイに表示させる表示ステップと、
を有することを特徴とする映像表示方法。
【請求項４】
前記映像に含まれる画素を所定領域に移動させる移動ステップと、を更に備え、
前記特定ステップは、前記移動ステップの移動させた結果に応じて、前記所定の輝度レベル以上の画素を特定する、ことを特徴とする請求項３に記載の映像表示方法。
【発明の詳細な説明】
【技術分野】
【０００１】
本発明は、映像表示装置及び映像表示方法に関し、更に詳しくは、ディスプレイの焼き付きを低減させることが可能な映像表示装置及び映像表示方法に関する。
【背景技術】
【０００２】
従来、ディスプレイの焼き付きを軽減させるために、一定時間映像が表示された後、各画素が焼き付きに対する既定の基準値を超えた場合に、ユーザーに焼き付きの可能性があることをＬＥＤや音声で通知し、その後、焼付きを軽減させる表示に切り替える装置がある（例えば、特許文献１参照）。
【０００３】
また、規定時間経過後に画像表示領域を所定方向、所定量移動させ、画素毎に生じる輝度差を分散させることにより、焼き付きを低減させる装置がある（例えば、特許文献２参照）。
【先行技術文献】
【特許文献】
【０００４】
【特許文献１】特開２００２−０９１３７３号公報
【特許文献２】特開平０５−１６７８７４号公報
【発明の概要】
【発明が解決しようとする課題】
【０００５】
しかしながら、上記特許文献１記載の装置では、一定時間映像が表示され、ある程度の焼き付きが進行した後に、画素毎の輝度差によって生じる画素毎の焼き付き差を軽減しているため、事前にユーザーに焼き付き領域を知らしめることができず、焼き付きを進行させてしまうという問題があった。
また、上記特許文献２記載の装置では、例えば、映像位置の移動範囲が±５ドットの範囲であって、かつ焼き付きが発生する輝度レベルの範囲が±５ドット内である場合に移動によって焼き付きを分散することはできるが、水平垂直それぞれが１１ドットよりも大きい範囲の場合は、移動したにも係らず輝度の変化がない領域が発生し、依然、焼き付きが発生してしまうという問題があった。そして、この問題は、焼き付きが発生する領域をユーザーに明示できていないことに起因するといえる。
【０００６】
本発明は、上記事情に鑑みてなされたものであって、ユーザーに焼き付きの領域を焼き付き前に事前に表示させることによって焼き付きを低減することが可能な映像表示装置及び映像表示方法を提供することを目的とする。
【課題を解決するための手段】
【０００７】
本発明の請求項１にかかる映像表示装置は、ディスプレイに表示された映像を構成する画素の輝度レベルを検出し、所定の輝度レベル以上の画素を特定する映像輝度検出部と、所定の輝度レベル以上の画素を特定パターンに置き換えてディスプレイに表示させる映像合成部と、規定時間毎にディスプレイの映像の表示状態を取得し、表示状態が静止画像表示状態であると判断した場合に、映像輝度検出部に所定の輝度レベル以上の画素を特定させ、映像合成部に所定の輝度レベル以上の画素を特定パターンに置き換えさせる制御部、とを具備することを特徴とする。
【０００８】
また、本発明の請求項２にかかる映像表示装置は、本発明の請求項１にかかる映像表示装置の構成において、画素の表示位置を調整する映像位置調整部と、を更に備え、制御部は、表示状態が静止画像表示状態であると判断した場合に、映像位置調整部に映像に含まれる画素を所定領域に移動させ、移動させた結果を映像輝度検出部に出力し、映像輝度検出部は、移動させた結果及び画素の輝度レベルに応じて、所定の輝度レベル以上の画素を特定する、ことを特徴とする。
【０００９】
また、本発明の請求項３にかかる映像表示方法は、規定時間毎にディスプレイの映像の表示状態を取得する取得ステップと、表示状態が静止画像表示状態であると判断する判断ステップと、映像を構成する画素の輝度レベルを検出する検出ステップと、所定の輝度レベル以上の画素を特定する特定ステップと、所定の輝度レベル以上の画素を特定パターンに置き換えてディスプレイに表示させる表示ステップと、を有することを特徴とする。
【００１０】
また、本発明の請求項４にかかる映像表示方法は、本発明の請求項３にかかる映像表示方法の構成において、映像に含まれる画素を所定領域に移動させる移動ステップと、を更に備え、特定ステップは、移動ステップの移動させた結果に応じて、所定の輝度レベル以上の画素を特定する、ことを特徴とする。
【発明の効果】
【００１１】
本発明によれば、出力される映像の画素毎の輝度を測定し、測定した結果に応じて画素毎の焼き付きに関する情報を特定色で出力させることで、入力された映像の焼き付きを発生させやすい領域を示すことができる。
【００１２】
また、入力された映像の焼き付きを発生させやすい領域を示す際に、位置移動によって表示領域を可変させることができる。
【図面の簡単な説明】
【００１３】
【図１】本発明の実施の形態１における映像表示装置の構成を示すブロック図
【図２】本発明の実施の形態１における特定パターン表示の例を示す図
【図３】本発明の実施の形態１における特定パターン表示処理を示すフローチャート
【図４】本発明の実施の形態２における従来の位置移動による焼き付き低減の状態を示す図
【図５】本発明の実施の形態２における特定パターン表示の例を示す図
【図６】本発明の実施の形態２における特定パターン表示処理を示すフローチャート
【発明を実施するための形態】
【００１４】
以下本発明を実施するための形態について、図面を参照しながら説明する。
【００１５】
（実施の形態１）
図１は、本発明の実施の形態１における映像表示装置１００の構成を示すブロック図である。映像表示装置１００は、マイコン（制御部）１１０と、ＡＤ変換部１２０と、映像画素変換部１３０と、映像位置調整部１４０と、映像輝度検出部１５０と、映像合成部１６０と、映像出力部１７０とから構成される。
【００１６】
マイコン１１０は、ＡＤ変換部１２０、映像画素変換部１３０を制御する。具体的には、ＡＤ変換部１２０に対しては、アナログ信号からデジタル信号に変換するための解像度を設定する。映像画素変換部１３０に対しては、水平拡大率、水平縮小率、垂直拡大率、垂直縮小率等を設定することにより、入力された映像をディスプレイ（図示せず）の画素に変換する処理を行わせる。また、映像出力部１７０から規定時間毎にディスプレイ（図示せず）の表示状態（動画像表示状態、静止画像表示状態）を取得し、取得した表示状態に応じて映像が焼き付く可能性があるか否かを判断し、判断結果に応じて、映像位置調整部１４０、映像輝度検出部１５０及び映像合成部１６０を制御する。具体的には、映像位置調整部１４０に対しては、ディスプレイ（図示せず）の画素単位の映像の位置を決める処理を行い、処理結果を位置調整要求として出力する。映像輝度検出部１５０に対しては、映像画素毎の輝度レベルを検出するための輝度検出要求を出力する。映像合成部１６０に対しては、所定の輝度レベル以上の映像画素領域を特定パターンで置き換えるための特定パターン置換要求を出力する。
【００１７】
ＡＤ変換部１２０は、マイコン１１０が設定した解像度の情報に基づいて、入力されたアナログ信号をデジタル信号に変換して出力する。映像画素変換部１３０は、マイコン１１０が設定した水平拡大率等の情報に基づいて、ＡＤ変換部１２０から入力された映像画素をディスプレイ（図示せず）の画素に変換して出力する。
【００１８】
映像位置調整部１４０は、マイコン１１０からの位置調整要求に応じて、映像画素変換部１３０から入力された画素をディスプレイ（図示せず）の対応する画素へ配置して出力する。
【００１９】
映像輝度検出部１５０は、マイコン１１０からの輝度検出要求に応じて、映像位置調整部１４０から入力された映像の輝度レベルを検出して出力する。より詳細には、ディスプレイ（図示せず）の表示画素毎の輝度レベルを検出して出力する。映像輝度検出部１５０は、ＦＰＧＡなどのハードウェア回路によって構成される。
【００２０】
映像合成部１６０は、映像輝度検出部１５０から入力された画素毎の輝度レベル及びマイコン１１０からの特定パターン置換要求に応じて、画素毎に画像を特定のパターンに置き換えて出力する。映像合成部１６０は、映像輝度検出部１５０と同様にＦＰＧＡなどのハードウェア回路で構成される。
【００２１】
映像出力部１７０は、映像合成部１６０から入力された映像をディスプレイ（図示せず）に出力する。
【００２２】
次に、図２を用いて本発明の実施の形態１における特定パターン表示について説明する。本実施の形態では、入力された映像の焼き付きを発生させやすい画素領域に事前に特定パターンを表示する。なお、ここで「事前に表示する」とは、「焼きつきが発生する時間未満の時間において表示する」ことを意味する。
【００２３】
図２では、初期状態として、ＡＤ変換部１２０によってアナログ信号がデジタル信号に変換され、映像画素変換部１３０によってディスプレイ（図示せず）の画素に映像が変換され、映像位置調整部１４０によって、映像は移動する前の標準位置に表示されているものとする（画面２０１）。初期状態において、映像輝度検出部１５０は、マイコン１１０からの輝度検出要求に基づいて個々の映像画素の輝度レベルを検出し、焼き付くと判断される輝度レベルの閾値を超えるかを判断して判断結果をマイコン１１０へ出力する。マイコン１１０は映像輝度検出部１５０からの判断結果に応じて特定パターン置換要求を映像合成部１６０へ出力する。映像合成部１６０は、特定パターン置換要求を受け、映像輝度検出部１５０から入力された閾値を超えた画素領域を特定パターンで置き換える。例えば、画面２０１のような映像が表示されたままであり、焼き付きが発生する閾値が７５％のレベルであるとすると、画面２０２のような領域が閾値を超えた画素領域であることが輝度検出部１５０及びマイコン１１０により判別されるので、映像合成部１６０は、元の映像（画面２０１）の上に焼き付きが発生する閾値を超えた画素領域（画面２０２）を合成表示することにより、画面２０３のような映像が得られ、ユーザーに焼き付く可能性がある領域を示すことが可能となる。
【００２４】
図３は、図２で示した特定パターンを表示するための特定パターン表示処理を示すフローチャートである。ここで、画素を画素（Ｘ、Ｙ）、全映像領域の画素を画素（Ｘｍａｘ、Ｙｍａｘ）、ディスプレイ（図示せず）に表示するための出力画素をＯｕｔ（Ｘ、Ｙ）、特定パターンの映像をＰｔｎ、元の画素をＯｒｇ（Ｘ、Ｙ）として説明する。まず、画素（Ｘ、Ｙ）を初期化した後で（ステップＳ３０１）、画素（Ｘ、Ｙ）を１画素ずつ特定パターンで表示するか否かを判断していく（ステップＳ３０２）。
【００２５】
ステップＳ３０３は、輝度検出部１５０において画素（Ｘ、Ｙ）の輝度レベルを判断する処理であり、ここでは画素（Ｘ、Ｙ）の輝度レベル判定をＲＧＢの各レベルの最大出力における割合で得られるものとし、ＦＵＮＣ（Ｘ、Ｙ）で得られるものとする。ＦＵＮＣ（Ｘ、Ｙ）で得られた値が７５％以上であれば（ステップＳ３０３で「Ｙ」）、画素（Ｘ、Ｙ）は規定時間後に焼き付く可能性がある画素であると判断し、映像合成部１６０は、画素（Ｘ、Ｙ）を特定パターンの映像（Ｐｔｎ）に置き換えて出力画素Ｏｕｔ（Ｘ、Ｙ）を出力する処理を実行する（ステップＳ３０４）。一方、ＦＵＮＣ（Ｘ、Ｙ）で得られた値が７５％未満であれば（ステップＳ３０３で「Ｎ」）、映像合成部１６０は、出力画素Ｏｕｔ（Ｘ、Ｙ）に元の画素のＯｒｇ(Ｘ、Ｙ)をそのまま代入して出力する（ステップＳ３０５）。そして、これらの処理を全画素に対して行うことにより（ステップＳ３０６）、ディスプレイ（図示せず）の表示画面全体の中で、焼き付くと判断される７５％以上の輝度を持つ領域が特定パターンで表示されることになる。
【００２６】
なお、本実施の形態において、焼き付きが発生する輝度レベルを一律７５％として記載したが、ディスプレイ（図示せず）の種類や焼き付きのねらい目で判断条件を個々に調整するようにしてもよい。また、プラズマディスプレイなどのように、平均輝度レベルによって焼き付き条件が変化するのであれば、この焼き付きが発生する輝度レベルを平均輝度レベルに合わせて変動してもよい。
【００２７】
（実施の形態２）
本発明の実施の形態２では、本発明の実施の形態１において焼き付きを発生させやすい領域を特定パターンとして事前に表示する際に、位置移動を考慮した上で特定パターンを表示領域に表示する。本実施の形態における映像表示装置は、実施の形態１における映像表示装置１００の構成と同様であるため説明を省略する。
【００２８】
まず、本実施の形態の効果が得られる前の従来の位置移動による焼き付き低減の状態を図４に示す。図４では、初期状態として画面４０１のような映像が入力されているとする。映像は、ＡＤ変換部１２０によってデジタル変換され、映像画素変換部１３０で、ディスプレイ（図示せず）の画素に変換されている。ここで、マイコン１１０が、映像位置調整部１４０に対して、映像表示位置をスタート位置の（Ｘｒｓ、Ｙｒｓ）から、（Ｘｒｓ＋１、Ｙｒｓ）、（Ｘｒｓ＋２、Ｙｒｓ）、（Ｘｒｓ＋Ｎ、Ｙｒｓ）（Ｎは１以上の整数）と変化させて設定を行うことにより、水平方向にＮ画素ずれた映像が得られる。また、垂直のパラメータも同様に値を変えることにより、垂直方向の映像位置移動が可能となり、水平、垂直の組み合わせで、２次元の領域を移動させることが可能となる。今回、画面４０１の映像を、水平５画素、垂直５画素の範囲でロの字で動作させた場合、画面４０２のように位置移動し、画素単位毎の表示時間は分散され、例えば４０２Ａの画素は位置移動が行われなかった場合に対して、表示時間は１／２０となる。映像全体でも表示エリアが分散され、焼き付きが発生する可能性は低くなる。
【００２９】
しかし、例えば、初期状態として画面４０３のような映像が入力されているとした場合において、上記と同様に水平５画素、垂直５画素の範囲で動作させた場合、画面４０４のように、４０４Ａの画素は映像移動を行っても白表示されたままとなり、焼き付きが発生してしまう。そのため、映像が移動されることを考慮した上で、入力された映像に対し焼き付きを発生させやすい領域を事前にユーザーに提示する必要がある。
【００３０】
以下、本発明の実施の形態２の特定パターン表示処理について説明する。まず、図５を用いて本発明の実施の形態２における特定パターン表示について説明する。
【００３１】
図５では、初期状態としてＡＤ変換部１２０によってアナログ信号がデジタル信号に変換され、映像画素変換部１３０によってディスプレイ（図示せず）の画素に映像が変換され、映像位置調整部１４０によって、映像は移動する前の標準位置に表示されているものとする（画面５０１）。初期状態において、映像輝度検出部１５０は、個々の映像画素の輝度レベルを検出し、映像位置調整部１４０によって個々の映像画素が移動される領域の映像の情報を加味することで、焼き付くと判断される輝度レベルの閾値を超える画素があるか否かを判断する。判断結果に応じて、映像合成部１６０は、映像輝度検出部１５０で得られた閾値を超えた画素領域を特定パターンで置き換える。例えば、画面５０１のような映像が初期の表示位置を中心にしてロの字に映像が移動する場合、画面５０２の５０２Ａのような黒領域に近い領域の画素は移動によって表示が分散され、焼き付くと判断される閾値を超えない画素となり、５０２Ｂのように移動しても高い輝度が維持されてしまう領域に関しては、焼き付きが発生すると判断される画素となる。この判断結果に応じて映像合成部１６０は、元の映像（画面５０１）の上に焼付きが発生する閾値を超えた画素領域（５０２Ｂ）を特定のパターンとして合成表示することにより、画面５０３のような映像が得られ、ユーザーに、画面位置移動が行われた上で焼き付く可能性がある領域を示すことが可能となる。
【００３２】
図６は、図５で示した特定パターンを表示するための特定パターン表示処理を示すフローチャートである。なお、図３と同符号を付したものは同処理を行うため説明を省略する。
【００３３】
本実施の形態では、画素（Ｘ、Ｙ）は映像位置移動を行うことによって通過する複数の画素の輝度レベルの平均値をとることになる。例えば、画素（Ｘ、Ｙ）を水平方向、垂直方向にロの字で遷移する場合は、（Ｘ、Ｙ）、（Ｘ＋１、Ｙ）、（Ｘ＋２、Ｙ）、（Ｘ＋Ｎ、Ｙ）、（Ｘ＋Ｎ、Ｙ＋１）、（Ｘ＋Ｎ、Ｙ＋２）、（Ｘ＋Ｎ、Ｙ＋Ｎ）、（Ｘ＋Ｎ−１、Ｙ＋Ｎ）、（Ｘ＋Ｎ−２、Ｙ＋Ｎ）、（Ｘ、Ｙ＋Ｎ）、（Ｘ、Ｙ＋Ｎ−１）、（Ｘ、Ｙ＋Ｎ−２）、（Ｘ、Ｙ）（Ｎは１以上の整数）というような座標を経由してロの字を描くため、（Ｘ、Ｙ）（Ｘ−１、Ｙ）、（Ｘ−２、Ｙ）、（Ｘ−Ｎ、Ｙ）、（Ｘ−Ｎ、Ｙ−１）、（Ｘ−Ｎ、Ｙ−２）、（Ｘ−Ｎ、Ｙ−Ｎ）、（Ｘ−Ｎ＋１、Ｙ−Ｎ）、（Ｘ−Ｎ＋２、Ｙ−Ｎ）、（Ｘ、Ｙ−Ｎ）、（Ｘ、Ｙ−Ｎ＋１）、（Ｘ、Ｙ−Ｎ＋２）、（Ｘ、Ｙ−１）（Ｎは１以上の整数）の入力映像が、画素（Ｘ、Ｙ）の上を通過する事になる。よって、画素（Ｘ、Ｙ）の輝度レベルをＦｕｎｃ（Ｘ、Ｙ）とし、映像位置の周期移動が開始点に戻るまでのステップ数をＷとすると、画素（Ｘ，Ｙ）の平均輝度値Ｓｕｍ（Ｘ、Ｙ）は、Ｓｕｍ（Ｘ、Ｙ）＝Ｆｕｎｃ（Ｘ、Ｙ）／Ｗ＋・・・＋Ｆｕｎｃ（Ｘ−Ｎ、Ｙ）／Ｗ＋Ｆｕｎｃ（Ｘ−Ｎ、Ｙ−１）／Ｗ＋・・・＋Ｆｕｎｃ（Ｘ−Ｎ、Ｙ−Ｎ）／Ｗ＋Ｆｕｎｃ（Ｘ−Ｎ＋１、Ｙ−Ｎ）／Ｗ＋・・・＋Ｆｕｎｃ（Ｘ、Ｙ−Ｎ）／Ｗ＋Ｆｕｎｃ（Ｘ、Ｙ−Ｎ＋１）／Ｗ＋・・・＋Ｆｕｎｃ（Ｘ、Ｙ−１）／Ｗ、（Ｎは１以上の整数）という計算で得られる（ステップＳ６０１）。ここで、得られた値が７５％以上であれば（ステップＳ６０２で「Ｙ」）、ステップＳ３０４の処理へ移行する。一方、得られた値が７５％未満であれば（ステップＳ６０２で「Ｎ」）、ステップＳ３０５の処理へ移行する。前記処理によって、ディスプレイ（図示せず）の表示画面全体の中で、位置移動が行われることを考慮した上で、焼き付くと判断される７５％以上の輝度を持つ領域が特定パターンで表示されることになる。
【産業上の利用可能性】
【００３４】
本発明にかかる映像表示装置及び映像表示方法は、入力された映像が焼き付きを発生させやすい領域を示すことが可能になるので、プラズマディスプレイ等の焼付きを防止する装置として有用である。
【符号の説明】
【００３５】
１００    映像表示装置
１１０    マイコン
１２０    ＡＤ変換部
１３０    映像画素変換部
１４０    映像位置調整部
１５０    映像輝度検出部
１６０    映像合成部
１７０    映像出力部
【図１】
2011257469.tif 000003
【図２】
2011257469.tif 000004
【図３】
2011257469.tif 000005
【図４】
2011257469.tif 000006
【図５】
2011257469.tif 000007
【図６】
2011257469.tif 000008